(57)【要約】      （修正有）【課題】掲示物が正当に掲示器具に掲示されたことを担保し、掲示器具を介して広告を提供するための掲示物管理システムを提供する。【解決手段】掲示器具に掲示された掲示物の管理を行う掲示物管理システムであって、掲示場所に関する掲示器具情報を登録する掲示器具情報登録手段と、掲示物の掲示物情報を登録する掲示物情報登録手段と、前記掲示器具情報及び掲示物情報に基づいて、掲示器具及び当該掲示器具に掲示する掲示物、掲示期間が紐づいた掲示情報を登録する掲示情報登録手段と、掲示物の掲示を行うユーザに対して、確認コードを送付する確認コード送付手段と、掲示の正当性の判断を行う為に、ユーザによって撮影され、前記掲示器具及び掲示物、確認コードが撮影された画像を含む画像情報を受け付ける画像情報登録手段と、前記画像情報を用いて、前記掲示期間内に、前記掲示物が正当に掲示されていたか否かの判定を行う掲示結果登録手段とを備える。【選択図】図３
2019045887.tif 000002
【特許請求の範囲】
【請求項１】
掲示器具に掲示された掲示物の管理を行う為の掲示物管理システムであって、
掲示物の掲示場所に関する掲示器具情報を登録する掲示器具情報登録手段と、
前記掲示器具情報登録手段で登録された掲示器具に掲示する掲示物の掲示物情報を登録する掲示物情報登録手段と、
前記掲示器具情報及び掲示物情報に基づいて、掲示器具及び当該掲示器具に掲示する掲示物、掲示期間が紐づいた掲示情報を登録する掲示情報登録手段と、
掲示物の掲示を行うユーザに対して、確認コードを送付する為の確認コード送付手段と、
掲示の正当性の判断を行う為に、ユーザによって撮影され、前記掲示器具及び掲示物、確認コードが撮影された画像を含む画像情報を受け付ける画像情報登録手段と、
前記画像情報を用いて、前記掲示期間内に、前記掲示物が正当に掲示されていたか否かの判定を行う為の掲示結果登録手段と、を備えることを特徴とする掲示物管理システム。
【請求項２】
前記確認コード送付手段及び画像情報登録手段は、前記掲示期間内に、前記確認コードを送付する処理及び画像情報を受け付ける処理を複数回行い、
前記掲示結果登録手段は、各回で受け付けた画像情報を用いて、判断を行うことを特徴とする請求項１に記載の掲示物管理システム。
【請求項３】
複数回送付される前記確認コードは、別々のコードであることを特徴とする請求項２に記載の掲示物管理システム。
【請求項４】
前記掲示期間は、前記確認コードの登録に応じて更新される複数の期間を有し、
前記掲示結果登録手段において正当に掲示が行われていないと判断された場合、正当に掲示がなされていた期間及び正当に掲示がなされていなかった期間に応じて、掲示の対価を算出する対価算出手段を備えることを特徴とする請求項２又は３に記載の掲示物管理システム。
【請求項５】
前記確認コード送付手段は、前記確認コードを印刷可能なフォーマットでユーザに送付することを特徴とする請求項１〜４の何れかに記載の掲示物管理システム。
【請求項６】
前記掲示器具は、前記確認コードを入力する為のコード入力部を備えることを特徴とする請求項１〜４の何れかに記載の掲示物管理システム。
【請求項７】
前記掲示結果登録手段は、前記画像情報を画像解析し、画像に含まれたコードを用いて掲示の正当性の判断を行う処理と、
判断結果を登録する処理と、を含むことを特徴とする請求項１〜６の何れかに記載の掲示物管理システム。
【請求項８】
前記掲示結果登録手段は、前記画像情報を用いて、掲示物の掲示を依頼した依頼者に掲示の正当性の確認依頼を行う処理と、
前記依頼者からの確認結果を受け付ける処理と、を含むことを特徴とする請求項１〜７の何れかに記載の掲示物管理システム。
【請求項９】
前記掲示器具情報は、掲示器具コードに紐づけられ、
前記画像情報は、前記掲示器具及び掲示物、確認コード、掲示器具コードを撮影した画像を含むことを特徴とする請求項１〜８の何れかに記載の掲示物管理システム。
【請求項１０】
前記画像情報は、掲示器具の全体を撮影した画像及び掲示物の少なくとも一部並びに確認コードが含まれた画像を含むことを特徴とする請求項１〜９の何れかに記載の掲示物管理システム。
【請求項１１】
前記掲示物は、掲示物コードを備え、
前記掲示物の少なくとも一部並びに確認コードが含まれた画像には、前記掲示物コードが含まれることを特徴とする請求項１０に記載の掲示物管理システム。
【請求項１２】
掲示器具に掲示された掲示物の管理を行う為の掲示物管理方法であって、
掲示物の掲示場所に関する掲示器具情報を登録する掲示器具情報登録手段と、
前記掲示器具情報登録手段で登録された掲示器具に掲示する掲示物の掲示物情報を登録する掲示物情報登録手段と、
前記掲示器具情報及び掲示物情報に基づいて、掲示器具及び当該掲示器具に掲示する掲示物、掲示期間が紐づいた掲示情報を登録する掲示情報登録手段と、
掲示物の掲示を行うユーザに対して、確認コードを送付する為の確認コード送付手段と、
掲示の正当性の判断を行う為に、ユーザによって撮影され、前記掲示器具及び掲示物、確認コードが撮影された画像を含む画像情報を受け付ける画像情報登録手段と、
前記画像情報を用いて、前記掲示期間内に、前記掲示物が正当に掲示されていたか否かの判定を行う為の掲示結果登録手段と、を掲示物管理サーバのプロセッサが実行する掲示物管理方法。
【発明の詳細な説明】
【技術分野】
【０００１】
本発明は、掲示器具への掲示物を管理する為の掲示物管理システムに関するものである。
【背景技術】
【０００２】
従来から、駅や街頭に設置された掲示板や掲示パネル等の掲示器具に、ポスターやチラシ等の印刷物を張り付けることで、広告が掲示されている。こうした掲示器具は、近年では、駅など主要な施設において、デジタルサイネージへの置き換えが進んでいるが、マンション等の集合住宅やその他町内などに設置された掲示器具においては、まだ置き換えが進んでいないのが現状である。
【０００３】
また、ポスター等の掲示物にＩＴ技術を付加した例としては、識別情報と個別情報とを備えた掲示物、及び掲示物を掲示する掲示領域と、掲示物に関する情報を有する掲示物情報を取得する手段と、掲示領域に掲示された掲示物又は個別情報の掲示位置を検出する手段と、掲示物の掲示位置を登録する手段と、掲示物及び個別情報の掲示位置を対応づける手段と、個別情報に関する情報を選択可能に内部又は外部から取得する手段と、個別情報を特定する手段と、関連情報を出力する手段と、を備えた掲示板システムに関する技術が知られている（特許文献１）。
【先行技術文献】
【特許文献】
【０００４】
【特許文献１】特開２００６−１１４２２号公報
【発明の概要】
【発明が解決しようとする課題】
【０００５】
従来、社会問題にも発展しつつある集合住宅の管理費上昇や積立金の枯渇に対して、経済的な解決策が求められていた。しかしながら、集合住宅の管理者サイドは、空車となった駐車スペースの貸し出し程度でしか、新たな収益源を創出することができない現状がある。そのため、これまでにコンテンツとして認識されていなかった掲示器具に広告掲示物を付することができれば、新たな経済的価値を付与し、ユーザ、即ち集合住宅の管理者サイドに収益をもたらすことが可能となる。また、集合住宅以外にも、例えば、商業施設や駅などの公共施設、医療機関等においても、新たな掲示材価値を付与し、管理者サイドに収益をもたらすことが可能となる。
【０００６】
マンション等の集合住宅や他の施設、その他町内などに設置される掲示器具に、広告用の掲示物を張り付けて広告主から対価を受けることを考えた場合、掲示器具の管理者側に対して余分なコストを掛けないことが必要である。
【０００７】
更に、これら掲示器具は、特定の従業員や居住者、利用者、顧客等しか出入りしない施設内の半密室的な立地に設置されている場合が多く、広告主の視点では、掲示物が契約期間内掲示されていた担保が、簡易に取れる環境を実現することが重要である。
【０００８】
特許文献１において、掲示物にＲＦＩＤタグを設け、情報を読み出し可能にする構成、掲示物の掲示位置を登録する手段、掲示位置を検出する手段と、掲示位置を対応付ける手段等については開示されているものの、これらの手段を利用したとしても、所定の契約期間内掲示物が掲示されていたか否かについて、正当性を確認することはできない。
【０００９】
また、個々の掲示物にＲＦＩＤタグを設けることや、掲示器具周辺に監視カメラを設置すること、掲示器具そのものをデジタルサイネージに置き換えるなどして、ネットワーク等を介して広告が契約期間内掲示されていたことを担保しようすると、設備コストが増大してしまう。
【００１０】
本発明は、このような従来の問題点に鑑みてなされたものであり、掲示物が正当に掲示器具に掲示されたことを担保し、掲示器具を介して広告を提供するための掲示物管理システムを提供することを解決すべき課題とする。
【課題を解決するための手段】
【００１１】
上記課題を解決するために、本発明は、掲示器具に掲示された掲示物の管理を行う為の掲示物管理システムであって、
掲示物の掲示場所に関する掲示器具情報を登録する掲示器具情報登録手段と、
前記掲示器具情報登録手段で登録された掲示器具に掲示する掲示物の掲示物情報を登録する掲示物情報登録手段と、
前記掲示器具情報及び掲示物情報に基づいて、掲示器具及び当該掲示器具に掲示する掲示物、掲示期間が紐づいた掲示情報を登録する掲示情報登録手段と、
掲示物の掲示を行うユーザに対して、確認コードを送付する為の確認コード送付手段と、
掲示の正当性の判断を行う為に、ユーザによって撮影され、前記掲示器具及び掲示物、確認コードが撮影された画像を含む画像情報を受け付ける画像情報登録手段と、
前記画像情報を用いて、前記掲示期間内に、前記掲示物が正当に掲示されていたか否かの判定を行う為の掲示結果登録手段と、を備えることを特徴とする。
【００１２】
このような構成とすることで、確認コードをユーザに付与して画像の撮影を行わせることで、他所の画像等を流用した不正な画像の登録を防止し、現実に掲示器具に掲示された掲示物の撮影を促すことが可能となり、掲示物が正当に掲示されることを一定程度担保することができる。
【００１３】
本発明の好ましい形態では、前記確認コード送付手段及び画像情報登録手段は、前記掲示期間内に、前記確認コードを送付する処理及び画像情報を受け付ける処理を複数回行い、
前記掲示結果登録手段は、各回で受け付けた画像情報を用いて、判断を行うことを特徴とする。
このような構成とすることで、掲示期間中、ユーザに複数回画像情報の登録を行わせることができ、掲示物が正当に掲示されることを一定程度担保することができる。また、掲示期間中の過去に登録された画像情報と比較して、掲示の正当性の判断を行うように構成してもよい。
【００１４】
本発明の好ましい形態では、複数回送付される前記確認コードは、別々のコードであることを特徴とする。
このような構成とすることで、掲示期間中における画像の流用を防ぎ、現実に掲示器具に掲示された掲示物の撮影を経時的に促すことが可能となり、掲示物が正当に掲示されることを一定程度担保することができる。
【００１５】
本発明の好ましい形態では、前記掲示期間は、前記確認コードの登録に応じて更新される複数の期間を有し、
前記掲示結果登録手段において正当に掲示が行われていないと判断された場合、正当に掲示がなされていた期間及び正当に掲示がなされていなかった期間に応じて、掲示の対価を算出する対価算出手段を備えることを特徴とする。
このような構成とすることで、掲示期間中に掲示物が破損した場合等、広告の価値を果たしていないと認められる場合に、ユーザに支払われる対価の減額等を行うことができる。
【００１６】
本発明の好ましい形態では、前記確認コード送付手段は、前記確認コードを印刷可能なフォーマットでユーザに送付することを特徴とする。
このような構成とすることで、ユーザは、確認コードを印刷するのみで準備することができ、容易に画像の撮影、登録を行うことができる。また、人手により掲示の正当性を判断する際に、画像に映り込む確認コードの鮮明度を一定程度担保することができ、作業負担を軽減することができる。また、画像認識によって機械的に掲示の正当性を判断する際には、読取りの精度を高めることができる。
【００１７】
本発明の好ましい形態では、前記掲示器具は、前記確認コードを入力する為のコード入力部を備えることを特徴とする。
このような構成とすることで、撮影された画像中に一定品質でコードを表示させることができ、掲示の正当性を判断する際の作業を容易にすることができる。
【００１８】
本発明の好ましい形態では、前記掲示結果登録手段は、前記画像情報を画像解析し、画像に含まれたコードを用いて掲示の正当性の判断を行う処理と、
判断結果を登録する処理と、を含むことを特徴とする。
このような構成とすることで、画像認識によって機械的に掲示の正当性を判断することができる。
【００１９】
本発明の好ましい形態では、前記掲示結果登録手段は、前記画像情報を用いて、掲示物の掲示を依頼した依頼者に掲示の正当性の確認依頼を行う処理と、
前記依頼者からの確認結果を受け付ける処理と、を含むことを特徴とする。
このような構成とすることで、人手により掲示の正当性を判断することができる。
【００２０】
本発明の好ましい形態では、前記掲示器具情報は、掲示器具コードに紐づけられ、
前記画像情報は、前記掲示器具及び掲示物、確認コード、掲示器具コードを撮影した画像を含むことを特徴とする。
このような構成とすることで、掲示物が張り付けられた掲示器具を特定することができ、掲示の正当性の判断に活用することができる。
【００２１】
本発明の好ましい形態では、前記画像情報は、掲示器具の全体を撮影した画像及び掲示物の少なくとも一部並びに確認コードが含まれた画像を含むことを特徴とする。
このような構成とすることで、複数の画像を用いて掲示の正当性の判断精度を高めることができる。
【００２２】
本発明の好ましい形態では、前記掲示物は、掲示物コードを備え、
前記掲示物の少なくとも一部並びに確認コードが含まれた画像には、前記掲示物コードが含まれることを特徴とする。
このような構成とすることで、掲示器具に張り付けられた掲示物を特定することができ、掲示の正当性の判断に活用することができる。
【００２３】
本発明は、掲示器具に掲示された掲示物の管理を行う為の掲示物管理方法であって、
掲示物の掲示場所に関する掲示器具情報を登録する掲示器具情報登録手段と、
前記掲示器具情報登録手段で登録された掲示器具に掲示する掲示物の掲示物情報を登録する掲示物情報登録手段と、
前記掲示器具情報及び掲示物情報に基づいて、掲示器具及び当該掲示器具に掲示する掲示物、掲示期間が紐づいた掲示情報を登録する掲示情報登録手段と、
掲示物の掲示を行うユーザに対して、確認コードを送付する為の確認コード送付手段と、
掲示の正当性の判断を行う為に、ユーザによって撮影され、前記掲示器具及び掲示物、確認コードが撮影された画像を含む画像情報を受け付ける画像情報登録手段と、
前記画像情報を用いて、前記掲示期間内に、前記掲示物が正当に掲示されていたか否かの判定を行う為の掲示結果登録手段と、を掲示物管理サーバのプロセッサが実行することを特徴とする。
【発明の効果】
【００２４】
本発明によれば、掲示物が正当に掲示器具に掲示されたことを担保し、掲示器具を介して広告を提供するための掲示物管理システムを提供することができる。
【図面の簡単な説明】
【００２５】
【図１】本発明の実施形態１に関る掲示物管理システムの概要を示す図である。
【図２】本発明の実施形態１に係る掲示物管理サーバのハードウェア構成図である。
【図３】本発明の実施形態１に関る掲示物管理サーバの機能ブロック図である。
【図４】本発明の実施形態１に関る記憶部に記憶された情報の一例を示す図である。
【図５】本発明の実施形態１に関る広告主が入札を行う際の入札画面の画面表示例である。
【図６】本発明の実施形態１に関る掲示物を掲示した掲示器具の一例を示す図である。
【図７】本発明の実施形態１に関る画像データの一例を示す図である。
【図８】本発明の実施形態１に関る確認コードの配布と判断の流れを示す図である。
【図９】本発明の実施形態１に関る掲示物の掲示の流れを示す図である。
【図１０】本発明の実施形態２に関る掲示物を掲示した掲示器具の一例を示す図である。
【図１１】本発明の実施形態２に関る掲示物を掲示した別の掲示器具の一例を示す図である。
【発明を実施するための形態】
【００２６】
＜実施形態１＞
以下、図面を用いて、本発明に関る掲示物管理システムについて説明する。なお、以下に示す実施形態は本発明の一例であり、本発明を以下の実施形態に限定するものではなく、様々な構成を採用することもできる。
【００２７】
例えば、本実施形態では掲示物管理システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２８】
本実施形態における掲示物管理システムは、掲示板に掲示された掲示物の管理を行う為のシステムである。集合住宅に設置された掲示板の管理者（ユーザ）は、掲示物管理システムを利用して、掲示する掲示物を広告主より募り、掲示物を掲示することで、広告主から報酬を受け取ることができる。
【００２９】
ここで、掲示物は、定期的あるいは不定期にマンション（集合住宅）の管理組合などから居住者に向けて掲示される掲示物（お知らせ）に、広告を付したもの等、広告以外の目的を兼ねた印刷物であっても構わない。
【００３０】
また、本実施形態では、マンション等の集合住宅に設置された掲示板（掲示器具）へ掲示する掲示物の管理を行う場合について説明するが、本発明は、集合住宅に設置された掲示板に対する管理に限らず、商業施設や公共施設、街頭等に設置された掲示器具を管理する場合等に利用することも可能である。
【００３１】
掲示器具は、施設にある既存の掲示器具であってもよいし、本システムを利用するにあたり、所定の場所に新たに設けられた掲示器具等であってもよい。例えば、商業施設においては、トイレの個室やエレベータ内等に掲示器具を設けることで、本システムを好適に利用することができる。
【００３２】
また、掲示器具の種類やその設置場所には特に制限はなく、掲示物管理システムを利用して、掲示する掲示物を広告主より募り、掲示物を掲示することで、広告主から報酬を受け取ることができる。掲示器具とは、掲示板や掲示パネル等、ポスターやチラシなどの掲示物の掲示を行う為の器具である。掲示器具は、鋲やシール、テープ、挟み込む等して掲示物を保持する機構等によって、掲示物を掲示する。
【００３３】
図１は、本発明の実施形態に関る掲示物管理システムの概要を示す図である。掲示物管理システム１は、掲示物管理サーバ２と、集合住宅の管理組合等、本システムの主たる利用者である掲示板の管理者（ユーザ）が利用するユーザ端末８（８１〜８ｍ）と、掲示物の掲載を依頼する広告主が利用する広告主端末９（９１〜９ｎ）と、を備えており、これらはネットワークＮを介して通信可能に構成されている。
【００３４】
図２は、掲示物管理サーバ２のハードウェア構成を示す図である。掲示物管理サーバ２は、演算装置（ＣＰＵ２０１）と、主記憶装置（ＲＡＭ２０２）と、ＨＤＤやＳＳＤ、フラッシュメモリなどの補助記憶装置（記録部２０３）と、外部の装置とネットワークを介して通信を行うためのインタフェースである通信部２０４と、入力部２０５と、出力部２０６と、を備えている。また、記録部２０３は、オペレーティングシステム２０７と、オペレーティングシステム２０７と協調してその機能を発揮する掲示物管理プログラム２０８等が記録されている。
【００３５】
ユーザ端末８は、ＣＰＵ等の演算装置、ＲＡＭ等の主記憶装置、ＨＤＤやＳＳＤ、フラッシュメモリ等の補助記憶装置、ネットワークＮへの接続手段を含む各種の入出力装置等を備えた、汎用的なコンピュータ装置を用いることができる。ここで、ユーザ端末８は、掲示物管理システム１を利用する為のアプリケーションや掲示物管理用のウェブページを利用する為のウェブブラウザと、画像を撮像する為のカメラと、を備えている。
【００３６】
広告主端末９は、ＣＰＵ等の演算装置、ＲＡＭ等の主記憶装置、ＨＤＤやＳＳＤ、フラッシュメモリ等の補助記憶装置、ネットワークＮへの接続手段を含む各種の入出力装置等を備えた、汎用的なコンピュータ装置を用いることができる。ここで、広告主端末９は掲示物管理システム１を利用する為のアプリケーションや、掲示物管理用のウェブページを利用する為のウェブブラウザを備えている。
【００３７】
図３は、本発明の実施形態に係る掲示物管理サーバ２の機能ブロック構成の一例を示す図である。掲示物管理サーバ２は、記憶部３と、登録手段４と、募集手段５と、結果登録手段６、支払手段７と、を備えている。
【００３８】
本実施形態では、記憶部３と、登録手段４と、募集手段５と、結果登録手段６、支払手段７と、がすべてサーバ装置（掲示物管理サーバ２）に備えられている。これらの機能の少なくとも一部は、１以上のサーバ装置に備えられていてもよい。
【００３９】
記憶部３は、ユーザ情報記憶部３１と、掲示場所記憶部３２と、掲示物情報記憶部３３と、掲示情報記憶部３４と、画像情報記憶部３５と、対価記憶部３６と、を備えている。図４は、記憶部３に記憶された情報の一例示す図である。
【００４０】
図４（ａ）に示すように、ユーザ情報記憶部３１は、本システムを利用するユーザに関する情報を有している。本例では、ユーザ番号と、ユーザ名と、管理者や広告主といったユーザ属性と、ユーザが掲示に対する報酬の支払・受取を行う為の支払情報（例えば口座番号やクレジットカード番号等）と、住所と、メールアドレスと、を有している。
【００４１】
図４（ｂ）に示すように、掲示場所記憶部３２は、掲示物の掲示場所に関する情報を有している。本例では、掲示板番号（掲示器具番号）と、当該掲示板を管理する管理者などが登録したユーザ番号と、掲示板コード（掲示器具コード）と、掲示板の設置場所等を示す掲示板（掲示器具）の属性と、掲示板が設置された施設の住所と、その総戸数や居住者の属性を示す居住者属性等、広告を閲覧する閲覧者に関する情報を有している。居住者属性とは、例えば、居住者の平均年齢層や、居住者の平均的な家族構成等である。なお、広告を閲覧する閲覧者に関する情報は、広告掲載を希望する広告主が、広告の掲載の依頼に当って、判断材料とするための情報である。
【００４２】
別の実施形態として、商業施設や医療施設等での利用を考えた場合、広告を閲覧する閲覧者に関する情報として、客層や平均来客者数等の情報を、広告主に提示することが考えられる。地域の街頭に設置された掲示器具での掲示を考えた場合、例えば、その地域の居住者数や居住者の年齢層の情報が、広告を閲覧する閲覧者に関する情報に相当する。
【００４３】
図４（ｃ）に示すように、掲示物情報記憶部３３は、登録された掲示物に関する情報を有している。本例では、掲示物番号と、当該掲示物を登録した広告主が登録したユーザ番号と、掲示物に記載された広告の種類を示す広告属性と、掲示物の画像データと、掲示物コードと、を有している。
【００４４】
図４（ｄ）に示すように、掲示情報記憶部３４は、登録された掲示に関する情報を有している。本例では、掲示番号と、掲示物を掲示する掲示板番号と、掲示する掲示物番号と、確認コードと、掲示期間と、正当に掲示がなされていたか否かの判定結果と、を有している。
【００４５】
画像情報記憶部３５は、掲示物が、掲示物の掲示を行ったユーザにより登録され、正当に掲示がなされていたか否かの判定を行う為の画像データを記憶している。本例では、画像情報記憶部３５は、画像番号と、証明の対象となる掲示を示す掲示番号と、画像データと、を有している。
【００４６】
対価記憶部３６は、掲示の対価に関する情報を記憶している。本例では、対価記憶部３６は、掲示番号と、掲示期間と、報酬の金額情報と、を有している。
【００４７】
登録手段４は、ユーザ情報登録手段４１と、掲示板情報登録手段４２（掲示器具情報登録手段）と、掲示物情報登録手段４３と、を備えている。
【００４８】
ユーザ情報登録手段４１は、ユーザ端末８、広告主端末９からユーザ情報の登録を受け付ける。ユーザは、ユーザ端末８、広告主端末９を用いて、掲示物管理用のウェブページ等からユーザ情報を入力し、入力されたユーザ情報は、ユーザ情報記憶部３１に登録される。
【００４９】
掲示板情報登録手段４２は、ユーザ端末８から、掲示物を掲示する掲示板情報（掲示器具情報）の登録を受け付ける。管理者は、ユーザ端末８を用いて、掲示物管理用のウェブページ等から掲示物の募集を行う為の掲示物情報を入力し、入力された掲示板情報は、掲示場所記憶部３２に登録される。なお、本例では、掲示板情報として、掲示板の所在（集合住宅）に係る情報を登録しているが、所在に関する情報が別途設けられていてもよい。
【００５０】
掲示物情報登録手段４３は、広告主端末９から掲示物情報の登録を受け付ける。広告主は、広告主端末９を用いて、掲示物管理用のウェブページ等から掲示物に関する掲示物情報を入力し、入力された掲示物情報は、掲示物情報記憶部３３に記憶される。
【００５１】
募集手段５は、掲示物募集手段５１と、入札手段５２と、掲示物決定手段５３と、を備えている。本実施形態における募集手段５は、配布物への掲載広告のオークション形式で受け付ける。掲載する広告は必ずしもオークション形式で決定される必要はない。
【００５２】
掲示物募集手段５１は、掲示板に掲示する掲示物を、オークション形式で決定する為の情報を入力する。本例では、管理者は、ユーザ端末８を介して、広告費用の入札開始金額や入札の開始時刻・終了時刻、入札可能な広告の分類、掲示期間、等を登録する。掲示期間は、予め設定されていてもよいし、広告主側から設定するようにしても構わない。掲示期間中の画像情報の登録頻度についても、設定可能であってもよい。
【００５３】
入札手段５２は、掲示物募集手段５１において登録された募集条件に基づいて、掲示板への掲示物の掲示を希望する広告主からの入札を受け付ける。図５は、広告主が、広告主端末９を用いて入札を行う際の画面の一例を示す図である。
【００５４】
画面Ｗには、入札期間や現在価格など、入札に関する情報が表示された情報表示領域Ｗ１と、掲示場所に関する情報を表示した掲示場所情報表示領域Ｗ２と、入札を行う為の入札領域Ｗ３と、が設けられている。
【００５５】
情報表示領域Ｗ１には、入札可能な期間や入札を行った人数、現在の最高値、等が表示されている。掲示場所情報表示領域Ｗ２には、掲示物の掲示場所（集合住宅、掲示板）の情報が表示されている。図示例では、掲示物の掲示期間、掲示する集合住宅の世帯数、居住者の年齢層（図示例における主要年齢層）、立地（図示例における場所）、入札可能な広告の分類（図示例における入札可能広告分類）など、管理者（ユーザ）がユーザ情報の登録時に登録した情報や、掲示物募集手段５１で入力した情報に基づいて、入札を行う為の情報が表示されている。
【００５６】
入札領域Ｗ３は、入札を行う広告主が、入札に関する情報を登録する箇所である。図示例では、入札金額や掲示を希望する掲示物の掲示物番号を登録する。
【００５７】
掲示物決定手段５３は、掲示板に掲示する掲示物を決定する。本実施形態では、入札手段５２に基づく入札結果に基づいて、掲示板に掲示する掲示物と、その掲示期間が決定する。本実施形態では、入札金額として、最高値を入札した広告主が、掲示物を掲示する権利を得る。掲示物の掲示が決定すると、掲示情報記憶部３４に掲示情報が登録される。
【００５８】
結果登録手段６は、確認コード送付手段６１と、画像情報登録手段６２と、掲示結果登録手段６３（判断手段６４）と、を備えている。支払手段７は、広告費支払手段７１と、対価支払手段７２と、対価算出手段７３と、を備えている。
【００５９】
本実施形態では、掲示権を落札した広告主は、広告費支払手段７１を用いて、掲示物管理サーバ２側に対して広告費の支払いを行う。本例では、掲示期間の満了後、対価支払手段７２により、ユーザに対して掲示の対価の支払いが行われる。
【００６０】
また、掲示結果登録手段６３において正当に掲示が行われていないと判断された場合、対価算出手段７３を用いて、正当に掲示がなされていた期間及び正当に掲示がなされていなかった期間に応じて、掲示の対価を算出する。この算出された対価に応じて、広告主への返金や、ユーザへ支払う対価の変更等を行う。なお、正当に掲示がなされていなかったと判断された場合、直ちに対価が減額される必要はなく、掲示物を再送して、新たに掲示期間を更新する等の対応が可能であってもよい。
【００６１】
本実施形態では、掲示物は、掲示物の印刷物を広告主からユーザへ直接送付することで受け渡される。掲示物の印刷データ又は印刷物は、広告主からユーザに対して直接送付されてもよいし、広告主から掲示物管理サーバ２側を介して間接的に送付されてもよい。
【００６２】
確認コード送付手段６１は、掲示物の掲示を行う管理者のユーザ端末８に対して、確認コードを送付する。確認コードは、正当に掲示が行われていたことを証明する為に利用されるコードである。確認コードを受け取ったユーザは、確認コードを掲示物と共に撮影し、その画像を正当に掲示が行われていたことを証明する画像情報として、登録する。
【００６３】
本例では、確認コード、掲示板コードは文字列であるが、マーカーや画像、１次元コード、２次元コードなどであってもよい。本例では、掲示物コードは一次元コードであるが、マーカーや画像、文字列、２次元コード、などであってもよい。また、確認コードは、コードの種別を判断するマーカーや画像、他のコード、画像解析を行う際の位置決め用のマーカーや画像、他のコード等、判断に用いられる文字列やコード以外の要素を備えていて構わない。
【００６４】
確認コード送付手段６１においてユーザに送付される確認コードは、例えば、Jpeg（Joint Photographic Experts Group）やpdf（Portable Document Format）等、印刷可能なフォーマットでユーザに対して送付されるのが好ましい。例えば、画像フォーマットで登録された確認コードは、ユーザ情報として登録されたメールアドレスに添付ファイルとして送付されたり、掲示物管理用のアプリケーションやウェブサイトで提供されるファイラ機能等により送付される。
【００６５】
ユーザは、受け取った確認コードを印刷して、画像撮影時に使用する。確認コードは必ずしも印刷して使用されなくてもよく、メールにてテキストとして提供され、メールを受け取ったユーザが紙等に複写して使用されてもよい。別の方法では、確認コードが紙面などに印刷された状態で、郵送によってユーザに提供されてもよい。
【００６６】
掲示結果登録手段６３は、掲示物が正当に掲示されていたか否かの判定結果を登録する手段である。本実施形態では、判断手段６４を用いて、画像情報登録手段６２を介して登録された画像情報（画像）を画像解析して、確認コードの有無や掲示物への破損の有無等を確認して掲示の正当性を判断し、判断結果を登録している。掲示結果登録手段６３は、例えば、判断手段６４による画像解析での判断手法に替え、又は加え、画像情報登録手段６２を介して登録された画像情報（画像）を広告主端末９に送り、広告主に判断を行わせ、広告主端末９からの判定結果の入力を受け付け、この判断結果を踏まえて掲示の正当性の判断を行う構成としても構わない。
【００６７】
画像情報登録手段６２は、掲示物の掲示を証明する為にユーザが撮影した画像情報の登録を受け付ける。また、例えば証明対象となった掲示を指定する情報（掲示番号等）等、必要に応じて、画像以外の情報も受け付け、画像情報として登録する。登録された画像情報は、画像情報記憶部３５に記憶される。
【００６８】
図６は、掲示物を掲示した掲示板の一例を示す図である。掲示板Ｂ１には、その他の掲示物Ｐｎと、広告主より受け取った掲示物Ｐと、確認コードＡＣと、が張り付けられている。掲示板Ｂ１には、画像から掲示板を識別するための掲示板コードＢＣが設けられている。掲示板コードＢＣは、例えば、シール等の接続手段を介して、掲示板の縁に設けられる。また、掲示物Ｐには、掲示物コードＰＣが設けられている。
【００６９】
図７は登録する画像データの一例を示す図である。図７（ａ）は、掲示板Ｂ１の全体を撮影した画像Ｉ１を示す図である。また、図７（ｂ）は、掲示物Ｐの一部と、確認コードＡＣの部分を撮影した画像Ｉ２を示す図である。本実施形態では、ユーザは、画像情報登録手段６２を介して、２点の画像を登録する。画像は、１の判断に際して、本例のように複数登録する構成を採用してもよいし、１点のみ登録される構成を採用してもよい。画像は、ユーザ端末８カメラを用いて撮影されてもよいし、デジタルカメラ等、他の装置で撮影した画像を登録してもよい。
【００７０】
判断手段６４は、画像情報登録手段６２によって登録された画像情報に基づいて、掲示物が正当に掲示されているか否を登録する。本実施形態では、判断手段６４は、登録された画像データを画像解析し、画像に含まれた確認コードＡＣ、掲示板コードＢＣ、掲示物コードＰＣの組み合わせが正しいか否かを、掲示の正当性の判断に用いる。なお、掲示板コードＢＣ、掲示物コードＰＣは、必ずしも使用される必要はない。また、画像に含まれたメタ情報を判断に利用してもよい。
【００７１】
また、掲示物に破れや汚れがある場合等、掲示の正当性が疑われる場合、必要に応じて広告主端末９に画像を送付するなどして、広告主に対して登録された画像を確認させ、有効性の判断の登録を受けるようにしてもよい。
【００７２】
図８を用いて、確認コードの配布と判断の流れについて説明する。掲示期間内に、確認コードを送付する処理及び画像情報を受け付ける処理を複数回行い、掲示結果登録手段６３は、各回で受け付けた画像情報を用いて、判断を行う。本例では、掲示期間は、確認コードの登録に応じて更新される複数の期間を有し、１週間ずつ確認コードの発行と判断を行い、合計３週間にわたって掲示物を掲示する場合について例示する。
【００７３】
まず、１週間目、掲示物管理サーバ２から掲示物Ｐがユーザに送付され、１回目の確認コードＡＣの画像フォーマットがユーザ端末８に送信される（確認コード送付手段６１）。ユーザは、１回目の確認コードＡＣを印刷して掲示物Ｐと共に掲示板に貼り付け、その様子を撮影して画像化し、掲示物管理サーバ２に送る（画像情報登録手段６２）。掲示物管理サーバ２は、受け取った画像データを画像解析し、正当に掲示されているか判断する（判断手段６４）。
【００７４】
２週間目、掲示物管理サーバ２から２回目の確認コードＡＣの画像フォーマットがユーザ端末８に送信される（確認コード送付手段６１）。ユーザは、２回目の確認コードＡＣを印刷して掲示物Ｐと共に掲示板に貼り付け、その様子を撮影して画像化し、掲示物管理サーバ２に送る（画像情報登録手段６２）。掲示物管理サーバ２は、受け取った画像データを画像解析し、正当に掲示されているか判断する（判断手段６４）。
【００７５】
３週間目、掲示物管理サーバ２から３回目の確認コードＡＣの画像フォーマットがユーザ端末８に送信される（確認コード送付手段６１）。ユーザは、３回目の確認コードＡＣを印刷して掲示物Ｐと共に掲示板に貼り付け、その様子を撮影して画像化し、掲示物管理サーバ２に送る（画像情報登録手段６２）。掲示物管理サーバ２は、受け取った画像データを画像解析し、正当に掲示されているか判断する（判断手段６４）。
【００７６】
３週目の期間満了後（４週間目）、掲示物管理サーバ２から４回目の確認コードＡＣの画像フォーマットがユーザ端末８に送信される（確認コード送付手段６１）。ユーザは、４回目の確認コードＡＣを印刷して掲示物Ｐと共に掲示板に貼り付け、その様子を撮影して画像化し、掲示物管理サーバ２に送る（画像情報登録手段６２）。掲示物管理サーバ２は、受け取った画像データを画像解析し、正当に掲示されているか判断する（判断手段６４）。すべての期間（本例における３週目までの期間）の判断がなされ、正当に掲示が行われていたと判断された場合、掲示物管理サーバ２は、承認完了の通知を広告主端末９に送付し、ユーザへの対価の支払いと、ユーザ端末８への掲示物の破棄の許可を出す。
【００７７】
ここで、判断の結果、正当に掲示がなされていないと判断された場合、広告主に対してその旨を通知する。そして、対価算出手段７３は、これまでの掲示の期間に応じて、掲示の対価を算出する。例えば、３週間目に３回目の確認コードが含まれた画像において、掲示物が正当に掲示されていないと判断された場合、それまで正当に掲示されていたであろう期間（例えば、２週目の撮影の時点）をもって、対価を返金、減額等する。
【００７８】
図９を用いて、本実施形態における掲示物の掲示の流れについて説明する。ステップＳ１において、掲示板へ掲示する掲示物を募集するユーザは、ユーザ端末８を用いて掲示板情報を登録する。ステップＳ２では、ユーザは、掲示物募集手段５１を用いて、入札ページを公開して広告主の募集を行い、自身の管理する掲示板への掲示物を募集する。掲示物の募集を行う為の入札ページ（画面Ｗ）が生成され、広告主端末９から閲覧可能となる。
【００７９】
ステップＳ３では、入札ページ（画面Ｗ）を閲覧した広告主は、予め掲示物情報登録手段４３で登録しておいた自身の掲示物を当該掲示板に掲示する為、入札手段５２を用いて入札する。入札期間が終了すると（ステップＳ４でＹｅｓ）、掲示物決定手段５３によって掲示板に掲示される掲示物（掲示権を落札した広告主）が決定される。
【００８０】
広告主には、落札した旨の通知が行われ、広告費の支払要求がなされる。ステップＳ９において、支払い要求を受け、広告主は、広告費の支払いを行う。また、掲示物を、当該掲示物の掲示を行うユーザに対して送付する。
【００８１】
ユーザは、受け取った掲示物を掲示板に掲示する。また、ステップＳ６において、掲示物管理サーバ２よりユーザ端末８に対して、確認コードが送付される。ユーザは、掲示物管理サーバ２より受け取った確認コードを印刷して、掲示物を掲示した掲示板に、併せて掲示する。
【００８２】
ステップＳ７において、ユーザは、画像情報登録手段６２を介して、確認コードが撮影された画像を掲示物管理サーバ２に登録し、掲示結果登録手段６３による掲示結果の登録を受ける。掲示結果登録手段６３によってコードの読取りができないと場合（ステップＳ８でＹｅｓ）、ステップＳ９において、画像情報の再登録要求を行い、ステップＳ７に戻る。掲示結果登録手段６３によってコードの読取りができたなら（ステップＳ８でＮｏ）、ステップＳ１０に進む。なお、ユーザは、画像情報が登録出来たならば、掲示板に貼り付けた確認コードを破棄して構わない。
【００８３】
掲示結果登録手段６３において正当に掲示されていると判断された場合（ステップＳ１０でＮｏ）、期間中に正当に掲示されていたことを承認し（ステップＳ１１）、ステップＳ１２に進む。呈示期間が満了していない場合は、ステップＳ６に戻って新たな確認コードを発行する。掲示期間が満了したなら、ステップＳ１４において、対価支払手段７２は、掲示物を掲示したユーザに対して、対価をユーザに支払う。
【００８４】
掲示結果登録手段６３において正当に掲示されていないと判断された場合（ステップＳ１０でＹｅｓ）、ステップＳ１３において、対価算出手段７３を用いて広告主への返金額を算出する。そして、ステップＳ１４において、対価支払手段７２は、掲示物を掲示したユーザに対して、残りの対価をユーザに支払う。
【００８５】
＜実施形態２＞
以下、図面を用いて、本発明の実施形態２に関る掲示物管理システム１について説明する。なお、実施形態１と同様の構成については、同様の符号を付してその説明を省略する。
【００８６】
本実施形態では、確認コード送付手段６１は、ユーザ情報として登録されたメールアドレスに対して、テキストとして確認コードを提供する。なお、確認コードは、テキスト以外に、画像、動画像、機械音声などの形で提供されても構わない。例えば、掲示物管理システム１は、ユーザの電話番号に発信し、自動音声によって確認コードを伝える処理を行ってもよい。
【００８７】
図１０は、掲示物を掲示した掲示板の一例を示す図である。掲示板Ｂ２は、掲示板本体（掲示器具本体）と一体に構成された確認コード入力部Ｃ１を備える。確認コード入力部Ｃ１は、ユーザの操作に応じて表示する文字列を変化させ、確認コードＡＣを表示させことができる。本実施形態では、ダイヤルＤを操作することで確認コード入力部Ｃ１に現れる文字が変化し、確認コードＡＣを表示させる。確認コード入力部Ｃ１に現れる文字を変化させる方法は、ダイヤル式に限らず、スイッチ等任意の方法を採用することができる。また、確認コード入力部Ｃ１における文字の表示方法は、アナログ式、デジタル式、何れでも構わない。
【００８８】
ユーザは、確認コード入力部Ｃ１を介してメールで通知された確認コードを入力し、撮影した画像を画像情報として掲示物管理サーバ２に登録する。
【００８９】
図１１（ａ）は、掲示物を掲示した掲示板の別の一例を示す図である。図１１（ｂ）は、確認コード入力部Ｃ２の一例を示す図である。掲示板Ｂ３は、掲示板本体と分離可能に形成された確認コード入力部Ｃを備える。
【００９０】
確認コード入力部Ｃ２は、貼付部や針部等、接続手段を介して掲示板に装着される。確認コード入力部Ｃ２は、確認コードＡＣを表示させる。本実施形態では、ダイヤルＤを操作することで確認コード入力部Ｃ２に現れる文字が変化し、確認コードＡＣを表示させる。確認コード入力部Ｃに現れる文字を変化させる方法は、ダイヤル式に限らず、スイッチ等任意の方法を採用することができる。また、確認コード入力部Ｃにおける文字の表示方法は、アナログ式、デジタル式、何れでも構わない。
【００９１】
ユーザは、確認コード入力部Ｃ２を介してメールで通知された確認コードを入力し、撮影した画像を画像情報として掲示物管理サーバ２に登録する。
【００９２】
本発明によれば、確認コードをユーザに付与して画像の撮影を行わせることで、他所の画像等を流用した不正な画像の登録を防止し、現実に掲示器具に掲示された掲示物の撮影を促すことが可能となり、掲示物が正当に掲示されることを一定程度担保することができる。
【００９３】
また、掲示期間中、ユーザに複数回画像情報の登録を行わせることができ、掲示物が正当に掲示されることを一定程度担保することができる。その際、過去に登録した画像の流用を防ぎ、現実に掲示器具に掲示された掲示物の撮影を経時的に促すことが可能となるため、掲示物が正当に掲示されることを一定程度担保することができる。
【００９４】
また、掲示期間中に掲示物が破損した場合等、広告の価値を果たしていないと認められる場合に、ユーザに支払われる対価の減額等を行うことができる。
【００９５】
ユーザは、確認コードを印刷するのみで準備することができ、容易に画像の撮影、登録を行うことができる。また、人手により掲示の正当性を判断する際に、画像に映り込む確認コードの鮮明度を一定程度担保することができ、作業負担を軽減することができる。また、画像認識によって機械的に掲示の正当性を判断する際には、読取りの精度を高めることができる。
【００９６】
また、掲示板コード（掲示器具コード）や掲示物コードを利用することで、掲示物が張り付けられた掲示器具や張り付けられた掲示物自体を特定することができ、掲示の正当性の判断に活用することができる。
【符号の説明】
【００９７】
１  掲示物管理システム
２  掲示物管理サーバ
２０１  ＣＰＵ
２０２  ＲＡＭ
２０３  記録部
２０４  通信部
２０５  入力部
２０６  出力部
２０７  ＯＳ
２０８  掲示物管理プログラム
３  記憶部
３１  ユーザ情報記憶部
３２  掲示場所記憶部
３３  掲示物情報記憶部
３４  掲示情報記憶部
３５  画像情報記憶部
３６  対価記憶部
４  登録手段
４１  ユーザ情報登録手段
４２  掲示板情報登録手段
４３  掲示物情報登録手段
５  募集手段
５１  掲示物募集手段
５２  入札手段
５３  掲示物決定手段
６  結果登録手段
６１  確認コード送付手段
６２  画像情報登録手段
６３  掲示結果登録手段
６４  判断手段
７  支払手段
７１  広告費支払手段
７２  対価支払手段
７３  対価算出手段
８  ユーザ端末
９  広告主端末
Ｎ  ネットワーク
Ｗ  画面
Ｗ１  情報表示領域
Ｗ２  掲示場所情報表示領域
Ｗ３  入札領域
Ｂ１、Ｂ２、Ｂ３  掲示板
ＢＣ  掲示板コード
Ｐ  掲示物
ＰＣ  掲示物コード
Ｐｎ  その他の掲示物
ＡＣ  確認コード
Ｃ１、Ｃ２  確認コード入力部
Ｄ  ダイヤル
【図１】
2019045887.tif 000003
【図２】
2019045887.tif 000004
【図３】
2019045887.tif 000005
【図４】
2019045887.tif 000006
【図５】
2019045887.tif 000007
【図６】
2019045887.tif 000008
【図７】
2019045887.tif 000009
【図８】
2019045887.tif 000010
【図９】
2019045887.tif 000011
【図１０】
2019045887.tif 000012
【図１１】
2019045887.tif 000013
【手続補正書】
【提出日】平成29年10月19日(2017.10.19)
【手続補正１】
【補正対象書類名】特許請求の範囲
【補正対象項目名】請求項１２
【補正方法】変更
【補正の内容】
【請求項１２】
掲示器具に掲示された掲示物の管理を行う為の掲示物管理方法であって、
掲示物の掲示場所に関する掲示器具情報を登録するステップと、
登録された掲示器具に掲示する掲示物の掲示物情報を登録するステップと、
前記掲示器具情報及び掲示物情報に基づいて、掲示器具及び当該掲示器具に掲示する掲示物、掲示期間が紐づいた掲示情報を登録するステップと、
掲示物の掲示を行うユーザに対して、確認コードを送付する為のステップと、
掲示の正当性の判断を行う為に、ユーザによって撮影され、前記掲示器具及び掲示物、確認コードが撮影された画像を含む画像情報を受け付けるステップと、
前記画像情報を用いて、前記掲示期間内に、前記掲示物が正当に掲示されていたか否かの判定を行う為のステップと、を掲示物管理サーバのプロセッサが実行する掲示物管理方法。
【手続補正２】
【補正対象書類名】明細書
【補正対象項目名】００２３
【補正方法】変更
【補正の内容】
【００２３】
本発明は、掲示器具に掲示された掲示物の管理を行う為の掲示物管理方法であって、
掲示物の掲示場所に関する掲示器具情報を登録するステップと、
登録された掲示器具に掲示する掲示物の掲示物情報を登録するステップと、
前記掲示器具情報及び掲示物情報に基づいて、掲示器具及び当該掲示器具に掲示する掲示物、掲示期間が紐づいた掲示情報を登録するステップと、
掲示物の掲示を行うユーザに対して、確認コードを送付する為のステップと、
掲示の正当性の判断を行う為に、ユーザによって撮影され、前記掲示器具及び掲示物、確認コードが撮影された画像を含む画像情報を受け付けるステップと、
前記画像情報を用いて、前記掲示期間内に、前記掲示物が正当に掲示されていたか否かの判定を行う為のステップと、を掲示物管理サーバのプロセッサが実行することを特徴とする。